(57)【要約】【課題】日常的に作成され様々なシーンが表現されうる文書に組み込まれる画像として、文書を作成するユーザの嗜好や感性に合った画像を提供することができる文書作成支援装置を提供すること。【解決手段】ユーザから画像とともに文章が入力された場合、入力された文章中の単語間の関連情報を関連情報抽出部１４によって抽出し、関連情報記録部１３ｃに記録しておく。その後、新たに文章が入力された場合に、入力された文章中の関連情報を抽出し、抽出した関連情報と関連情報記録部１３ｃに記録されている関連情報とを比較して、類似する関連情報に関連付けられた画像を呈示する。【選択図】図１
2008242515.tif 000002
【特許請求の範囲】
【請求項１】
文章を入力するための文章入力部と、
画像を入力するための画像入力部と、
前記入力された画像と前記画像に纏わって入力された第１の文章とを１ユニットとして登録する登録部と、
前記第１の文章に含まれる単語間の関連情報を第１の関連情報として抽出し、前記第１の関連情報と前記画像とを対応付けて記録する関連情報記録部と、
前記第１の文章に後行して入力された第２の文章に含まれる単語間の関連情報を第２の関連情報として抽出する関連情報抽出部と、
前記第１の関連情報と前記第２の関連情報とを比較し、その比較結果に基づき類似度が高い前記第１の関連情報に対応付けられた画像を呈示する画像呈示部と、
を具備することを特徴とする文書作成支援装置。
【請求項２】
前記関連情報記録部に記録された複数の前記第１の関連情報から、ユーザが嗜好するキーワードを抽出するキーワード抽出部をさらに有し、
前記画像呈示部は、前記キーワードに対応する前記画像を優先して呈示することを特徴とする請求項１に記載の文書作成支援装置。
【発明の詳細な説明】
【技術分野】
【０００１】
本発明は、画像付き文書を作成するための文書作成支援装置に関し、特に文書作成時に該文書に貼り付けられる候補画像を自動的に呈示することが可能な文書作成支援装置に関する。
【背景技術】
【０００２】
近年、記録媒体の大容量化に伴って多くの画像を記録可能となってきているが、多くの画像を記録できるようになった分、所望の画像を検索するのが困難になってきている。
【０００３】
このような画像の検索技術に関して、例えば特許文献１においては、「壮大な」、「すがすがしい」といった感性表現に適した画像を登録画像の中から効率よく検索することができる画像の検索システムが提案されている。具体的には、画像を類型化し、その類型化した画像に対応付けて感性表現キーワードを付与して画像の検索に用いるようにしている。
【特許文献１】特開２００４−５５３４号公報
【発明の開示】
【発明が解決しようとする課題】
【０００４】
ここで、画像の捉え方や使い方は個々人により様々である。したがって、画像を類型化し、その類型化した画像と感性表現キーワードを対応付けしておいたとしても、日常的に作成され様々なシーンが表現されうる、例えば日記のような文書に組み込む画像として、文書を作成するユーザの嗜好や感性に必ずしも適した画像を提供できるとは限らない。
【０００５】
本発明は、上記の事情に鑑みてなされたもので、日常的に作成され様々なシーンが表現されうる文書に組み込まれる画像として、文書を作成するユーザの嗜好や感性に合った画像を提供することができる文書作成支援装置を提供することを目的とする。
【課題を解決するための手段】
【０００６】
上記の目的を達成するために、本発明の第１の態様の文書作成支援装置は、文章を入力するための文章入力部と、画像を入力するための画像入力部と、前記入力された画像と前記画像に纏わって入力された第１の文章とを１ユニットとして登録する登録部と、前記第１の文章に含まれる単語間の関連情報を第１の関連情報として抽出し、前記第１の関連情報と前記画像とを対応付けて記録する関連情報記録部と、前記第１の文章に後行して入力された第２の文章に含まれる単語間の関連情報を第２の関連情報として抽出する関連情報抽出部と、前記第１の関連情報と前記第２の関連情報とを比較し、その比較結果に基づき類似度が高い前記第１の関連情報に対応付けられた画像を呈示する画像呈示部とを有することを特徴とする。
【発明の効果】
【０００７】
本発明によれば、日常的に作成され様々なシーンが表現されうる文書に組み込まれる画像として、文書を作成するユーザの嗜好や感性に合った画像を提供することができる文書作成支援装置を提供することができる。
【発明を実施するための最良の形態】
【０００８】
以下、図面を参照して本発明の実施形態を説明する。  
図１は、本発明の一実施形態に係る文書作成支援装置を含む文書作成支援システムの構成を示す図である。図１に示す文書作成支援システムは、文書作成支援装置の一例としてのブログ管理サーバ１を有している。ブログ管理サーバ１には、ネットワーク２を介してパーソナルコンピュータ（以下、ＰＣと記す）３及び４が通信自在に接続されている。さらに、ＰＣ３には、デジタルカメラ５から画像データが入力される。
【０００９】
ブログ管理サーバ１は、画像入力部１１と、文章入力部１２と、記録部１３と、関連情報抽出部１４と、画像呈示部１５と、関連付け部１６とを有している。
【００１０】
画像入力部１１には、日記文書作成の際にＰＣ３から送られてきた画像が入力される。文章入力部１２には、日記文書作成の際にＰＣ３から送られてきた文章が入力される。
【００１１】
記録部１３は、登録部の一例としての画像記録部１３ａ及び文章記録部１３ｂと、関連情報記録部１３ｃとを有している。画像記録部１３ａは、画像入力部１１を介して入力される画像を記録する。文章記録部１３ｂは、文章入力部１２を介して入力される文章を画像と関連付けて記録する。関連情報記録部１３ｃは、関連情報抽出部１４において抽出される文章中における単語間の関連情報を画像と関連付けて記録する。
【００１２】
関連情報抽出部１４は、文章入力部１２を介して入力された文章及び文章記録部１３ｂに記録された文章中における単語間の関連情報を抽出し、抽出した関連情報を文章に対応付けられている画像と関連付けて関連情報記録部１３ｃに記録させる。ここで、単語間の関連情報とは、例えば、画像に関連付けられた文章中において使用されている単語の情報である。例えば、図１に示す「今日、公園に行きました。たい焼きを食べました。」の文章の場合には、「今日」、「公園」、「行く」、「たい焼き」、「食べる」の順でそれぞれの単語を使用しており、このような情報が関連情報として抽出される。このような各単語の識別を行うために、関連情報抽出部１４は所定のデータベースを有しているものである。
【００１３】
画像呈示部１５は、文章入力部１２を介して文章が入力された場合に、その文章について抽出された関連情報と関連情報記録部１３ｃに記録されている関連情報とを比較して、類似度の高い関連情報を関連情報記録部１３ｃから抽出し、この抽出された関連情報と関連付けられた画像をＰＣ４に表示させるなどして操作者に呈示する。
【００１４】
関連付け部１６は画像呈示部１５によって呈示された画像を、文章入力部１２を介して入力された画像と関連付けて画像記録部１３ａ、文章記録部１３ｂにそれぞれ記録する。
【００１５】
ＰＣ３及び４は、ウェブページをブラウジングするためのソフトウェアがインストールされ、ウェブページ上で日記文章の入力操作等の各種の操作を行うためのマウスやキーボードといった操作部や液晶ディスプレイ等の表示部を有するコンピュータである。デジタルカメラ５は、図示しない被写体を撮影し、画像を得る。
【００１６】
以下、図１に示す文書作成支援システムの動作について説明する。図２は、図１のブログ管理サーバ１の日記作成に係る動作について示すフローチャートである。図２において、ブログ管理サーバ１は、ユーザによって日記文書（特に画像付きの日記文書）の作成モードが選択されているか否かを判定している（ステップＳ１）。ステップＳ１の判定において、日記文書の作成モードが選択されていない場合に、ブログ管理サーバ１は、日記文書作成以外の処理を実行しつつ待機する。
【００１７】
一方、ステップＳ１の判定において、日記文書の作成モードが選択されている場合に、ブログ管理サーバ１は、所定数以上の日記文書が文章記録部１３ｂに記録されているか否かを判定する（ステップＳ２）。ステップＳ２の判定において、所定数以上の日記文書が記録されていない場合に、ブログ管理サーバ１は、ユーザによる文章の入力（ステップＳ３）、及び画像の入力（ステップＳ４）を待つ。ユーザによって文章及び画像が入力された場合に、ブログ管理サーバ１は、ステップＳ３において入力された文章とステップＳ４において入力された画像とを対応付けて文章記録部１３ｂ、画像記録部１３ａにそれぞれ記録させる（ステップＳ５）。このようにして文章と画像とを対応付けて記録することにより、日記文書の作成が終了する。
【００１８】
その後、ブログ管理サーバ１は、関連情報抽出部１４により、ステップＳ５において記録された文章を単語単位に分解し、分解した単語間の関連情報（第１の関連情報）を抽出する（ステップＳ６）。その後、ブログ管理サーバ１は、抽出した関連情報を関連情報記録部１３ｃに記録させる（ステップＳ７）。なお、ステップＳ５において記録した画像と同一の画像に対し、ステップＳ５において記録した文章と異なる文章に係る関連情報が既に記録されている場合には、両文章で共通する単語に係る関連情報のみを記録することが望ましい。例えば、「今日、公園に行きました。たい焼きを食べました。」の文章１０１に対して「たい焼き」の画像１００が関連付けられており、その後、画像１００と同一の画像に対して「たい焼き」や「食べる」の単語を含む別の文章が関連付けされた場合には、以後は画像１０１に関連付ける関連情報としては「たい焼き」や「食べる」のみを関連付けるようにする。このようにすることで、後で説明する画像呈示の際の確度を向上させることができる。
【００１９】
また、ステップＳ２の判定において、所定数以上の日記文書が文章記録部１３ｂに記録されている場合には、自動での画像呈示に十分な量の関連情報が蓄積されていると考えられるので、ブログ管理サーバ１は、ユーザによる文章の入力（ステップＳ８）のみを待つ。ユーザによって文章が入力された場合に、ブログ管理サーバ１は関連情報抽出部１４により、ユーザによって入力された文章を単語単位に分解し、分解した単語より関連情報（第２の関連情報）を抽出する（ステップＳ９）。そして、この抽出した関連情報と既に関連情報記録部１３ｃに記録されている関連情報とを比較し、最も類似度の高い関連情報（文章中に使用されている単語の関連が最も類似しているもの）を関連情報記録部１３ｃから検出する。そして、検出した関連情報に関連付けられた画像をＰＣ４に表示させるなどすることでユーザに呈示する（ステップＳ１０）。ユーザは呈示された画像を見て、自身の望む画像であった場合にはその旨をブログ管理サーバ１に通知する。これを受けて、ブログ管理サーバ１はステップＳ８において入力された文章とステップＳ１０において呈示した画像とを対応付けて文章記録部１３ｂ、画像記録部１３ａにそれぞれ記録させ、日記文書を作成する。その後、上述したのと同様にして関連情報の抽出及び記録を行う。
【００２０】
以上説明したように、本実施形態によれば、ユーザが自身で作成した文章から、ユーザの文章の作成傾向を分析して画像を呈示することができるので、ユーザの嗜好（又は感性）を反映した画像を呈示して日記文書を作成することが可能である。
【００２１】
ここで、上述した実施形態においては、文章内の単語の関連のみを関連情報としているが、ユーザによって入力された文章中における単語の関連からユーザが嗜好するキーワードを抽出し、抽出したキーワードに関連する画像をユーザに呈示するようにしても良い。例えば、図１に示す「今日、公園に行きました。たい焼きを食べました。」のように、「食べる」という単語が過去に多く使用されている場合には、そのユーザが「食べ物」が好きであると判定して「食べ物」という単語をキーワードとする。そして、新たに入力された文章に「食べる」という単語が含まれている場合には、各種の食べ物の画像を呈示するようにしても良い。
【００２２】
以上実施形態に基づいて本発明を説明したが、本発明は上述した実施形態に限定されるものではなく、本発明の要旨の範囲内で種々の変形や応用が可能なことは勿論である。
【００２３】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００２４】
【図１】本発明の一実施形態に係る文書作成支援装置を含む文書作成支援システムの構成を示す図である。
【図２】ブログ管理サーバの日記作成に係る動作について示すフローチャートである。
【符号の説明】
【００２５】
１…ブログ管理サーバ、２…ネットワーク、３，４…パーソナルコンピュータ（ＰＣ）、５…デジタルカメラ、１１…画像入力部、１２…文章入力部、１３…記録部、１３ａ…画像記録部、１３ｂ…文章記録部、１３ｃ…関連情報記録部、１４…関連情報抽出部、１５…画像呈示部、１６…関連付け部
【図１】
2008242515.tif 000003
【図２】
2008242515.tif 000004